(57)【要約】【課題】  ケーシング（5）のフロントパネル（8）をフラットにした空気処理装置において、簡単且つ小型の機構で吸込口（6）の開閉を行えるようにするとともに、インテリアとの一体感を出しやすいデザインを実現する。【解決手段】  ケーシング（5）内に空気を吸い込む吸込口（6）とケーシング（5）内で処理した空気を吹き出す吹出口（7）とを有するフロントパネル（8）と、吸込口（6）を開閉する吸込口開閉機構（30）とを備えた空気処理装置（5）において、吸込口開閉機構（30）を、吸込口（6）を覆うように設けられた吸込口用カバーシート（31）と、該カバーシート（31）の一部をフロントパネル（8）の前方へ突出させることにより該カバーシート（31）と吸込口（6）との間に空気の導入口を形成する空気導入口形成機構（押出機構）（32）とを備えた構成にする。【選択図】  図４
2006234336.tif 000002
【特許請求の範囲】
【請求項１】
ケーシング（5）内に空気を吸い込む吸込口（6）とケーシング（5）内で処理した空気を吹き出す吹出口（7）とを有するパネル部材（8）と、上記吸込口（6）を開閉する吸込口開閉機構（20，30）とを備えた空気処理装置であって、
吸込口開閉機構（20，30）は、吸込口（6）を覆うように設けられた吸込口用カバーシート（21，31）と、該カバーシート（21，31）の一部をパネル部材（8）の前方へ突出させることにより該カバーシート（21，31）と吸込口（6）との間に空気の導入口を形成する空気導入口形成機構（22，32）とを備えていることを特徴とする空気処理装置。
【請求項２】
請求項１において、
吸込口用カバーシート（31）が吸込口（6）を覆うように張架され、
空気導入口形成機構（32）は、上記カバーシート（31）の一部をパネル部材（8）の前方へ押し出して該カバーシート（31）と吸込口（6）との間に空気の導入口を形成する押出機構（32）により構成されていることを特徴とする空気処理装置。
【請求項３】
請求項２において、
吸込口開閉機構（30）は、運転停止時にカバーシート（31）で吸込口（6）を覆った状態で、該カバーシート（31）にテンションを与えるテンション付与機構（37）を有していることを特徴とする空気処理装置。
【請求項４】
請求項３において、
カバーシート（31）の一端がパネル部材（8）における吸込口（6）の一方の側縁部に固定され、
カバーシート（31）の他端が固定されるとともに該カバーシート（31）を巻き取り可能なシートローラ（33）が吸込口（6）の他方の側縁部に配置され、
押出機構（32）は、ケーシング（5）の内部からパネル部材（8）の前方へ向かってカバーシート（31）を押し出すように構成されていることを特徴とする空気処理装置。
【請求項５】
請求項４において、
吸込口（6）の上側部分をケーシング（5）のパネル部材（8）に対して開閉する開閉板（22）を備えていることを特徴とする空気処理装置。
【請求項６】
請求項５において、
開閉板（22）の表面にカバーシート（21）が貼られていることを特徴とする空気処理装置。
【請求項７】
請求項１において、
吸込口開閉機構（20）は、ケーシング（5）のパネル部材（8）に対して開閉する開閉板（22）を備え、該開閉板（22）の表面に吸込口用カバーシート（21）が貼られていることを特徴とする空気処理装置。
【発明の詳細な説明】
【技術分野】
【０００１】
本発明は、ケーシング内に空気を吸い込む吸込口と、ケーシング内で処理した空気を吹き出す吹出口を備えた空気処理装置に関し、特に、吸込口の構造に関するものである。
【背景技術】
【０００２】
従来より、この種の空気処理装置として、ケーシングのフロントパネルをフラットにした壁掛け型の空気調和装置がある（例えば、特許文献１参照）。この特許文献１の装置では、前面が開口したケーシング本体と、その開口部分に設けられるフロントパネルとからケーシングが構成されている。また、上記フロントパネルには、暖房時の補助熱源となる輻射パネルが採用されている。
【０００３】
上記輻射パネルは、空気調和装置の運転停止時には、前方が開口したケーシング本体の前端面に密着して開口部分を塞ぐ一方、運転時にはケーシング本体の前端面から前方へ突出して、ケーシング本体と輻射パネルとの間に隙間（吸込口）を形成するように構成されている。
【０００４】
また、輻射パネルの代わりに、プラスチックのフラットなフロントパネルで運転停止時に吸込口を塞ぐ一方、運転時には該フロントパネルを前方へ突出させるとともに傾斜させて吸込口を開くようにした製品もある。
【０００５】
以上のようにケーシングのフロントパネルをフラットにしているのは、空気処理装置の吸込口の開口部が意匠的に見せたくない部分であるからで、そのために、運転停止時には吸込口の開口部を塞ぐ一方で、運転時には装置の必要性能を発揮するために吸込口を開口するようにしている。
【特許文献１】実開平０３−０４６１２１号公報
【発明の開示】
【発明が解決しようとする課題】
【０００６】
しかし、上記構成では、吸込口を閉じた状態と開いた状態とにフロントパネルを変化させるための機構が複雑になりがちであり、空気調和装置の大型化やコストアップを招くおそれがある。
【０００７】
また、フロントパネルのフラット化を実現しても、フロントパネルが輻射パネルやプラスチックパネルであると、部屋の壁（壁紙）との質感の差が大きく、インテリアとの一体感を出しにくい問題もあった。
【０００８】
本発明は、かかる点に鑑みてなされたものであり、その目的は、ケーシングのフロントパネルをフラットにした空気処理装置において、簡単且つ小型の機構で吸込口の開閉を行えるようにするとともに、インテリアとの一体感を出しやすいデザインを実現することである。
【課題を解決するための手段】
【０００９】
第１の発明は、ケーシング（5）内に空気を吸い込む吸込口（6）とケーシング（5）内で処理した空気を吹き出す吹出口（7）とを有するパネル部材（8）と、上記吸込口（6）を開閉する吸込口開閉機構（20，30）とを備えた空気処理装置を前提としている。
【００１０】
そして、この空気処理装置は、吸込口開閉機構（20，30）が、吸込口（6）を覆うように設けられた吸込口用カバーシート（21，31）と、該カバーシート（21，31）の一部をパネル部材（8）の前方へ突出させることにより該カバーシート（31）と吸込口（6）との間に空気の導入口を形成する空気導入口形成機構（22，32）とを備えていることを特徴としている。
【００１１】
この第１の発明では、空気処理装置の運転停止時には、吸込口用カバーシート（21，31）が吸込口（6）を覆う状態となり、吸込口（6）が塞がれる。一方、空気処理装置の運転時には、空気導入口形成機構（22，32）によりカバーシート（21，31）の一部が前方に突出し、吸込口（6）としての空気の導入口が形成されるため、ケーシング（5）内へ空気を吸い込むことが可能となる。
【００１２】
第２の発明は、第１の発明において、吸込口用カバーシート（31）が吸込口（6）を覆うように張架され、空気導入口形成機構（32）が、上記カバーシート（31）の一部をパネル部材（8）の前方へ押し出して該カバーシート（31）と吸込口（6）との間に空気の導入口を形成する押出機構（32）により構成されていることを特徴としている。
【００１３】
この第２の発明では、空気処理装置の運転停止時には、吸込口用カバーシート（31）が吸込口（6）を覆うように張架された状態となり、吸込口（6）が塞がれる。一方、空気処理装置の運転時には、押出機構（32）によりカバーシート（31）の一部が前方に押し出されて突出し、吸込口（6）としての空気の導入口が形成されるため、ケーシング（5）内へ空気を吸い込むことが可能となる。
【００１４】
第３の発明は、第２の発明において、吸込口開閉機構（30）が、運転停止時にカバーシート（31）で吸込口（6）を覆った状態で、該カバーシート（31）にテンションを与えるテンション付与機構（37）を有していることを特徴としている。
【００１５】
この第３の発明では、テンション付与機構（37）を設けたことにより、運転停止時に吸込口（6）を覆うカバーシート（31）がたるむことがなく、ピンと張った状態に維持される。
【００１６】
第４の発明は、第３の発明において、カバーシート（31）の一端がパネル部材（8）における吸込口（6）の一方の側縁部に固定され、カバーシート（31）の他端が固定されるとともに該カバーシート（31）を巻き取り可能なシートローラ（33）が吸込口（6）の他方の側縁部に配置され、押出機構（32）が、ケーシング（5）の内部からパネル部材（8）の前方へ向かってカバーシート（31）を押し出すように構成されていることを特徴としている。
【００１７】
この第４の発明では、押出機構（32）がカバーシート（31）の一部をケーシング（5）の内部からパネル部材（8）の前方へ向かって押し出した状態では、該カバーシート（31）の一端がパネル部材（8）における吸込口（6）の一方の側縁部に固定されたまま、該カバーシート（31）がシートローラ（33）から引き出された状態となって、吸込口（6）へ空気の導入口が形成される。一方、押出機構（32）が後退すると、カバーシート（31）がシートローラ（33）に巻き取られて平坦になり、パネル部材（8）の表面に沿って吸込口（6）が塞がれた状態となる。
【００１８】
第５の発明は、第４の発明において、吸込口（6）の上側部分をケーシング（5）のパネル部材（8）に対して開閉する開閉板（22）を備えていることを特徴としている。
【００１９】
この第５の発明では、吸込口（6）の上側部分が開口することにより、該開口部分も吸込口（6）への空気の導入口となり、ケーシング（5）内への空気の導入が行われる。
【００２０】
第６の発明は、第５の発明において、開閉板（22）の表面にカバーシート（21）が貼られていることを特徴としている。
【００２１】
この第６の発明では、開閉板（22）の表面にもカバーシート（21）が貼られているので、この部分においてもパネル部材（8）の質感を壁（壁紙）の質感と合わせることができる。
【００２２】
第７の発明は、第１の発明において、吸込口開閉機構（20）が、ケーシング（5）のパネル部材（8）に対して開閉する開閉板（22）を備え、該開閉板（22）の表面に吸込口用カバーシート（21）が貼られていることを特徴としている。
【００２３】
この第７の発明では、空気処理装置の運転停止時には、吸込口用カバーシート（21）が貼られた開閉板（22）が閉じられる状態となり、吸込口（6）が塞がれる。一方、空気処理装置の運転時には、該開閉板（22）が開かれる状態となって吸込口（6）が開口し、ケーシング（5）内へ空気を吸い込むことが可能となる。
【発明の効果】
【００２４】
本発明によれば、吸込口開閉機構（20，30）として、吸込口（6）を覆う吸込口用カバーシート（21，31）と、該カバーシート（21，31）の一部を前方に突出させることにより該カバーシート（21，31）と吸込口（6）との間に空気の導入口を形成する空気導入口形成機構（22，32）とを用いているので、簡単な機構の動きで吸込口（6）の開閉状態を切り換えることができる。したがって、機構を簡単にすることができるため、装置の大型化やコストアップを防止できる。
【００２５】
また、この発明では、カバーシート（21，31）の一部を突出させるだけで吸込口（6）を形成でき、吸込口（6）が大きく露出するようにはなっていないので、運転時に製品の意匠性が低下することもない。
【００２６】
さらに、運転停止時に吸込口（6）をカバーシート（21，31）で覆うようにしているので、この空気処理装置を壁掛け型の空気調和装置にした場合などに、カバーシート（31）の質感を壁（壁紙）の質感に合わせることが容易で、インテリアとの一体感を出しやすくすることができる。つまり、空気調和装置などの意匠性を従来とは大幅に変えて、デザイン的なインパクトの大きな製品を実用化できる。
【００２７】
さらに、従来のプラスチックカバーをフロントパネルに用いていたものではインテリア性を向上させるためには塗装を行うことが必要不可欠であったが、本発明のものによれば少なくとも吸込口（6）のカバーについて塗装が不要となるため、コストダウンが可能となる。
【００２８】
上記第２の発明によれば、カバーシート（31）の一部を前方に突出させる空気導入口形成機構（32）として該カバーシート（31）を押し出す押出機構（32）を用いているため、第１の発明と同様に機構を簡単にすることができ、装置の大型化やコストアップを防止できる。
【００２９】
また、カバーシート（31）の一部を突出させるだけで吸込口（6）を形成でき、吸込口（6）が大きく露出するようにはなっていないので、運転時に製品の意匠性が低下することがない点や、カバーシート（31）の質感を壁（壁紙）の質感と揃えることでデザイン的にインパクトの大きな製品を実用化できる点も第１の発明と同様である。
【００３０】
上記第３の発明によれば、運転停止時にカバーシート（31）で吸込口（6）を覆った状態で、該カバーシート（31）にテンションを与えるテンション付与機構（37）を吸込口開閉機構（30）に設け、運転停止時に吸込口（6）を覆うカバーシート（31）がたるまずにピンと張った状態に維持されるようにしているので、パネル部材（8）にシート素材を用いたものでありながら、シートがたるむといったデザイン的な不具合が生じることはない。
【００３１】
上記第４の発明によれば、カバーシート（31）の一端をパネル部材（8）における吸込口（6）の一方の側縁部に固定するとともに、吸込口（6）の他方の側縁部に配置したシートローラ（33）で該カバーシート（31）を巻き取り可能にしているので、吸込口（6）への空気の導入口を形成する構成を簡単に実現できる。
【００３２】
上記第５の発明によれば、吸込口（6）の上側部分をケーシング（5）のパネル部材（8）に対して開閉する開閉板（22）を設けたことにより、吸込口（6）の上側で開口する部分も吸込口（6）への空気の導入口となるので、十分な吸込風量を確保できる。
【００３３】
上記第６の発明によれば、開閉板（22）の表面にもカバーシート（21）を貼るようにしたことにより、この部分においてもパネル部材（8）の質感を壁（壁紙）の質感と合わせることができ、空気処理装置とインテリアとの一体感をよりいっそう高めることが可能となる。
【００３４】
上記第７の発明によれば、吸込口開閉機構（20）を、ケーシング（5）のパネル部材（8）に対して開閉する開閉板（22）により構成し、この開閉板（22）の表面に吸込口用カバーシート（21）を貼るようにしたことにより、第１の発明と同様に機構を簡単にすることができ、装置の大型化やコストアップを防止できる。
【００３５】
また、開閉板（22）を開閉するだけで吸込口（6）を形成でき、吸込口（6）が大きく露出するようにはなっていないので、運転時に製品の意匠性が低下することがない点や、カバーシート（21）の質感を壁（壁紙）の質感と揃えることによってデザイン的にインパクトの大きな製品を実用化できる点も第１の発明と同様である。
【発明を実施するための最良の形態】
【００３６】
以下、本発明の実施形態を図面に基づいて詳細に説明する。
【００３７】
《発明の実施形態１》
本発明の実施形態１について説明する。この実施形態１は、壁掛け型の空気調和装置（室内機）（1）に関するものである。
【００３８】
図１（Ａ）は、この空気調和装置（1）の平面図、図１（Ｂ）は正面図、図１（Ｃ）は底面図である。また、図２（Ａ）は、この空気調和装置（1）の運転停止状態の斜視図、図２（Ｂ）は運転状態の斜視図である。
【００３９】
この空気調和装置（1）のケーシング（5）には、該ケーシング（5）内に空気を吸い込む吸込口（6）と該ケーシング（5）内で処理した空気を吹き出す吹出口（7）とを有するフロントパネル（パネル部材）(8)が設けられている。この空気調和装置（1）のフロントパネル（8）は、フラットなパネル状に構成されている。また、上記空気調和装置（1）は、上記吸込口（6）を開閉する吸込口開閉機構（20，30）と、上記吹出口（7）を開閉する吹出口開閉機構（40）を備えている。
【００４０】
図３は図１（Ｂ）のIII−III線断面図であり、図４（Ａ）は運転停止状態における図１（Ｂ）のIV−IV線断面図、図４（Ｂ）は運転状態における図１（Ｂ）のIV−IV線断面図である。この空気調和装置（1）には、吸込口（6）として、図４（Ｂ）に示す前面側吸込口（6a）に加えて、図１（Ａ）及び図３に示す上面側吸込口（6b）が設けられている。
【００４１】
そして、ケーシング（5）内には、前面側吸込口（6a）及び上面側吸込口（6b）からケーシング（5）内に室内空気を吸い込み、吹出口（7）から吹き出すためのクロスフローファン（10）と、前面側吸込口（6a）及び上面側吸込口（6b）からケーシング（5）内に吸い込まれた空気が通過する位置に配置された室内熱交換器（11）とが設けられている。この室内熱交換器（11）は、図示しない室外機の室外熱交換器や圧縮機と冷媒配管を介して接続されるものである。
【００４２】
上記ケーシング（5）内には、前面側吸込口（6a）及び上面側吸込口（6b）に沿うようにしてエアーフィルタ（12）が配置されている。また、ケーシング（5）内には、室内熱交換器（11）を通過した空気を吹出口（7）に向かって案内するための上部ガイド板（13）と下部ガイド板（14）が形成されている。なお、上部ガイド板（13）は、冷房運転時や除湿運転時に室内熱交換器（11）の表面で室内空気中の水分が凝縮して生じるドレン水を受けるドレンパン（15）と一体化されている。
【００４３】
次に、吸込口（6）の構成について説明する  この空気調和装置（1）は、吸込口（6）を覆う吸込口用カバーシート（21，31）と、該カバーシート（21，31）によって吸込口（6）を開閉する吸込口開閉機構（20，30）とを備えている。具体的には、上記吸込口（6）には、上側に位置する第１の吸込口開閉機構（20）と、下側に位置する第２の吸込口開閉機構（30）とが設けられている。
【００４４】
第１の吸込口開閉機構（20）は、前面側吸込口（6a）の上側部分を開閉するものであって、ケーシング（5）のフロントパネル（8）に対して開閉する開閉板（22）を備え、該開閉板（22）の表面に吸込口用カバーシート（21）が貼られている。上記開閉板（22）は、下端がヒンジ機構によりフロントパネル（8）に開閉可能に連結されている。この開閉板（22）の上端部の裏面側には、円弧状のラック（23）が設けられている。このラック（23）は、ケーシング（5）の左右両端側に一つずつ設けられている。また、ケーシング（5）の左右の側板には、それぞれ、各ラック（23）に噛み合うピニオン（24）が設けられている。ピニオン（24）の一方はモータの軸に固定された駆動ギヤであり、他方はケーシング（5）の側板に回転自在に支持された従動ギヤである。
【００４５】
なお、上記ラック（23）には、開閉板（22）の最大傾斜角度を決めるためのストッパ（25）が設けられ、図４（Ｂ）に示すようにその最大傾斜角度でケーシング（5）側のストッパ（26）と当接するようになっている。
【００４６】
第２の吸込口開閉機構（30）は、吸込口用カバーシート（31）が前面側吸込口（6a）の下側部分を覆うように張架され、該カバーシート（31）の一部をフロントパネル（8）の前方に押し出して突出させることにより該カバーシート（31）と吸込口（6）との間に空気の導入口を形成する押出機構（空気導入口形成機構）（32）を備えている。
【００４７】
上記カバーシート（31）は、一端がフロントパネル（8）における下側の吸込口（6）の一方（上方）の側縁部に固定され、カバーシート（31）の他端が固定されるとともに該カバーシート（31）を巻き取り可能なシートローラ（33）が該吸込口（6）の他方（下方）の側縁部に配置されている。そして、押出機構（32）は、ケーシング（5）の内部からフロントパネル（8）の前方へ向かってカバーシート（31）を押し出すように構成されている。
【００４８】
具体的には、上記押出機構（32）として、ケーシング（5）のフロントパネル（8）と直角な方向へ進退する押出ロッド（34）がケーシング（5）の左右の側板の近傍に一つずつ設けられ、押出ロッド（34）はラック（35）により構成されている。各ラック（35）にはピニオン（36）が噛み合い、一方のピニオン（36）はモータで駆動される駆動側ギヤで、他方のピニオン（36）は回転自在の従動側ギヤになっている。
【００４９】
上記シートローラ（33）は、カバーシート（31）を常に巻き取る方向の付勢力を与えるため、ねじりコイルバネなどの付勢手段がテンション付与機構（37）として設けられている。このテンション付与機構（37）により、運転停止時にカバーシート（31）で吸込口（6）を覆った状態で、該カバーシート（31）にテンションが与えられ、カバーシート（31）がピンと張った状態に維持される。
【００５０】
以上の構成により、この実施形態の吸込口（6）は、吸込口（6）の下側部分に張架されたカバーシート（31）の一部を前方へ山形に押し出して左右両縁部に吸込口（6）への空気の導入口を形成する一方、吸込口（6）の上側部分をケーシング（5）のフロントパネル（8）に対して開閉する開閉板（22）を設けたことにより、この開閉板（22）の開口部分にも吸込口（6）への空気の導入口が形成される。
【００５１】
次に、吹出口（7）の構成について説明する。上記吹出口開閉機構（40）は、運転停止時に上記フロントパネル（8）に沿って吹出口（7）を覆う吹出口用カバーシート（41）と、運転時に該カバーシート（41）を巻き取って吹出口（7）を開口する巻き取り機構（42）とを備えている。具体的には、吹出口開閉機構（40）は、カバーシート（41）の一端を保持するとともに該カバーシート（41）を巻き取り可能で且つ吹出口（7）の一の側縁部（上縁部）に配置されたシートローラ（43）と、カバーシート（41）の他端を保持するとともにフロントパネル（8）上で吹出口（7）に沿って上下へ可動に構成された保持部材（44）と、該保持部材（44）をフロントパネル（8）に沿って移動させる駆動機構（45）とを備えている。
【００５２】
上記シートローラ（43）は、カバーシート（41）を常に巻き取る方向へ付勢するねじりコイルバネなどの付勢手段を介してケーシング（5）に保持されている。そして、この付勢手段が、運転停止時にカバーシート（41）で吹出口（7）を覆った状態で、該カバーシート（41）にテンションを与えるテンション付与機構（46）を構成している。
【００５３】
上記保持部材（44）の裏面の左右両端部には、Ｌ字型に屈曲したアーム（47）が設けられている。このアーム（47）は、保持部材（44）に連結された水平部（47a）と、該水平部（47a）の先端から屈曲した垂直部（47b）とからなり、垂直部（47b）はラック（48）により構成されている。また、ケーシング（5）の左右の側板には、それぞれ、各ラック（48）に噛み合うピニオン（49）が設けられている。ピニオン（49）の一方はモータの軸に固定された駆動ギヤであり、他方はケーシング（5）の側板に回転自在に支持された従動ギヤである。
【００５４】
一方、ケーシング（5）の前面側と下面側には風向調整用のフラップ（50）が設けられている。本実施形態では、これらのフラップ（50）が平板状であり、閉じた状態においてはケーシング（5）のパネル面の一部を構成している。各フラップ（50）には、フラップ駆動機構（51）が連結されている。そして、このフラップ駆動機構（51）によりフラップ（50）の向きを変えることにより、調和空気を室内へ任意の向きで吹き出すことが可能になっている。
【００５５】
−運転動作−
次に、この空気調和装置（1）の運転動作について説明する。
【００５６】
空気調和装置（1）の運転停止時には、図２（Ａ），図３，及び図４（Ａ）に示すように、吸込口（6）及び吹出口（7）のいずれも閉じた状態となり、ファンも停止し、室内熱交換器（11）における冷媒の流れも停止する。このとき、吹出口（7）のフラップ（50）も閉じており、ケーシング（5）は全体としてフラットで薄型の外観を呈している。また、このとき、ケーシング（5）のフロントパネル（8）は、大部分が、吸込口（6）を覆っている吸込口用カバーシート（21，31）と、吹出口（7）を覆っている吹出口用カバーシート（41）とにより構成された状態となっている。
【００５７】
空気調和装置（1）の運転時には、図４（Ａ）において、開閉板（22）のラック（23）と噛み合ったピニオン（24）が図の反時計回り方向へ回転し、押出ロッド（34）のラック（35）と噛み合ったピニオン（36）が図の反時計回り方向へ回転し、さらに、保持部材（44）のアーム（47）を構成するラック（48）と噛み合ったピニオン（49）が図の時計回り方向へ回転する。こうすることにより、第１の吸込口開閉機構（20）において開閉板（22）がヒンジ部を支点として傾斜することにより開くとともに、第２の吸込口開閉機構（30）においてカバーシート（31）が前方へ山形に突出してその左右の端部に吸込口（6）への空気の導入口が形成される。また、吹出口（7）に関しては、保持板がフロントパネル（8）の吹出口（7）に沿って上方へスライドして、図２（Ｂ）及び図４（Ｂ）の状態となる。また、このとき、吹出口（7）のフラップ（50）は、フラップ駆動機構（51）によって空気の吹出方向に沿った向きに制御される。
【００５８】
この状態で、クロスフローファン（10）が回転し、且つ、室内熱交換器（11）には冷媒が流れる。したがって、冷房運転時には、ケーシング（5）内に吸い込まれてから室内熱交換器（11）を通過する際に冷却された冷たい空気が室内に吹き出され、暖房運転時には、ケーシング（5）内に吸い込まれてから室内熱交換器（11）を通過する際に加熱された暖かい空気が室内に吹き出される。
【００５９】
−実施形態１の効果−
この実施形態によれば、運転停止時に上記フロントパネル（8）に沿って吹出口（7）を覆う吹出口用カバーシート（41）と、運転時に該カバーシート（41）を巻き取って吹出口（7）を開口する巻き取り機構（42）とを有する吹出口開閉機構（40）を備えているので、ケーシング（5）のフラット化が容易で、且つ機構が簡単であるため、ケーシング（5）をシンプルでコンパクトにすることが容易である。
【００６０】
また、運転停止時に吹出口（7）をカバーシート（41）で覆うようにしているので、壁掛け型の空気調和装置（1）において、カバーシート（41）の質感を壁（壁紙）の質感に合わせることが容易で、インテリアとの一体感を出しやすくすることができる。つまり、空気調和装置（1）などの意匠性を従来とは大幅に変えて、デザイン的にインパクトの大きな製品を実用化できる。
【００６１】
また、運転停止時には、カバーシート（41）で吹出口（7）を覆った状態で、該カバーシート（41）にテンションを与えるテンション付与機構（46）を吹出口開閉機構（40）に設け、運転停止時に吹出口（7）を覆うカバーシート（41）がたるまずにピンと張った状態に維持されるようにしているので、フロントパネル（8）にシート素材を用いたものでありながら、シートがたるむといったデザイン的な不具合が生じることはない。
【００６２】
さらに、吹出口開閉機構（40）を、カバーシート（41）の一端が固定されて該カバーシート（41）を巻き取り可能なシートローラ（33）と、カバーシート（41）の他端を保持するとともに吹出口（7）のフロントパネル（8）上で可動の保持部材（44）と、保持部材（44）をフロントパネル（8）に沿って移動させる駆動機構（45）とを備えた構成にしているので、駆動機構（45）によってカバーシート（41）をシートローラ（33）に巻き取るか、シートローラ（33）から引き出すだけの簡単な操作で吹出口（7）を開閉できる。
【００６３】
そして、この実施形態では、吸込口（6）を覆う吸込口用カバーシート（21，31）と、該カバーシート（21，31）によって吸込口（6）を開閉する吸込口開閉機構（20，30）とを設けたことにより、吹出口（7）をカバーシート（41）で開閉するのに加えて、吸込口（6）もカバーシート（21，31）によって開閉されるため、運転停止時には、ケーシング（5）のフロントパネル（8）の大部分がカバーシート（吹出口用カバーシート（41）と吸込口用カバーシート（21，31））によって覆われることになる。そのため、壁掛け型の空気調和装置（1）において、カバーシート（21，31，41）の質感を壁（壁紙）の質感に合わせることがいっそう容易になり、インテリアとの一体感を出しやすくすることができる。その結果、従来品と比べて、よりいっそうデザイン的にインパクトの大きな製品を実用化できる。
【００６４】
さらに、第２の吸込口開閉機構（30）については、吸込口（6）を覆うように吸込口用カバーシート（31）を張架する一方で、該カバーシート（31）の一部を前方に突出させることにより該カバーシート（31）と吸込口（6）との間に空気の導入口を形成する押出機構（32）を設けているので、押出機構（32）によりカバーシート（31）の一部を前方に突出させるだけの簡単な機構の動きで吸込口（6）の開閉状態を切り換えることができる。また、第１の吸込口開閉機構（20）については、ケーシング（5）のフロントパネル（8）に対して開閉する開閉板（22）を設け、この開閉板（22）に吸込口用カバーシート（21）を貼るようにしているため、開閉板（22）をケーシング（5）のフロントパネル（8）に対して開閉させるだけの簡単な機構の動きで吸込口（6）の開閉状態を切り換えることもできる。
【００６５】
また、この実施形態では、運転時に吸込口（6）のカバーシート（21，31）が波打った状態となり、運転停止時とは全く異なる形態を呈する。したがって、室内にいる人は空気調和装置（1）のこの状態を見るだけで装置が運転中であることを認識できる。例えば、「強」で運転しているときに突出量を大きくし、「弱」で運転しているときに突出量を小さくすると、その運転状態まで一目で認識可能となる。
【００６６】
−実施形態１の変形例−
この実施形態１では、第１の吸込口開閉機構（20）と第２の吸込口開閉機構（30）とを設けているが、第１の吸込口開閉機構（20）を設けずに第２の吸込口開閉機構（30）を吸込口（6）の全体にわたって一つだけ設けてもよい。
【００６７】
また、第１の吸込口開閉機構（20）と第２の吸込口開閉機構（30）を組み合わせる代わりに、第２の吸込口開閉機構（30）を上下に２つ並べて配置してもよい。
【００６８】
《発明の実施形態２》
本発明の実施形態２について説明する。実施形態２は、実施形態１とは吸込口（6）の構成が異なるようにした例である。なお、吹出口（7）など、吸込口（6）を除く部分の構成については実施形態１と同様であるため、ここでは説明を省略する。
【００６９】
この空気調和装置（1）は、吸込口（6）を覆う吸込口用カバーシート（21）と、該カバーシート（21）によって吸込口（6）を開閉する吸込口開閉機構（20）とを備えている。具体的には、吸込口開閉機構（20）は、ケーシング（5）のフロントパネル（8）に対して開閉する開閉板（22）を備え、該開閉板（22）の表面に吸込口用カバーシート（21）が貼られている。この吸込口開閉機構（20）は、実施形態１における第１の吸込口開閉機構（20）と同じ構成であるため、同じ符号を使用する。
【００７０】
上記開閉板（22）は、下端がヒンジ機構によりフロントパネル（8）に開閉可能に連結されている。この開閉板（22）の上端部の裏面側には、円弧状のラック（23）が設けられている。このラック（23）は、ケーシング（5）の左右両端側に一つずつ設けられている。また、ケーシング（5）の左右の側板には、それぞれ、各ラック（23）に噛み合うピニオン（24）が設けられている。ピニオン（24）の一方はモータの軸に固定された駆動ギヤであり、他方はケーシング（5）の側板に回転自在に支持された従動ギヤである。
【００７１】
なお、上記ラック（23）には、開閉板（22）の最大傾斜角度を決めるためのストッパ（25）が設けられ、その際大傾斜角度でケーシング（5）側のストッパ（2６）と当接するようになっている。
【００７２】
−運転動作−
次に、この空気調和装置（1）の運転動作について説明する。
【００７３】
空気調和装置（1）の運転停止時には、図６（Ａ），図７，及び図８（Ａ）に示すように、吸込口（6）及び吹出口（7）のいずれも閉じた状態となり、ファンも停止し、室内熱交換器（11）における冷媒の流れも停止する。このとき、吹出口（7）のフラップ（50）も閉じており、ケーシング（5）は全体としてフラットで薄型の外観を呈している。また、このとき、ケーシング（5）のフロントパネル（8）は、大部分が、吸込口（6）を覆っている開閉板（22）の吸込口用カバーシート（21）と、吹出口（7）を覆っている吹出口用カバーシート（41）とにより構成された状態となっている。
【００７４】
空気調和装置（1）の運転時には、図８（Ａ）において、開閉板（22）のラック（23）と噛み合ったピニオン（24）が図の反時計回り方向へ回転し、保持部材（44）のアーム（47）を構成するラック（48）と噛み合ったピニオン（49）が図の時計回り方向へ回転する。こうすることにより、開閉板（22）がヒンジ部を支点として傾斜することにより開くとともに、保持板がフロントパネル（8）の吹出口（7）に沿って上方へスライドして、図６（Ｂ）及び図８（Ｂ）の状態となる。また、このとき、吹出口（7）のフラップ（50）は、フラップ駆動機構（51）によって空気の吹出方向に沿った向きに制御される。
【００７５】
この状態で、クロスフローファン（10）が回転し、且つ、室内熱交換器（11）には冷媒が流れる。したがって、冷房運転時には、ケーシング（5）内に吸い込まれてから室内熱交換器（11）を通過する際に冷却された冷たい空気が室内に吹き出され、暖房運転時には、ケーシング（5）内に吸い込まれてから室内熱交換器（11）を通過する際に加熱された暖かい空気が室内に吹き出される。
【００７６】
−実施形態２の効果−
この実施形態によれば、実施形態１と同様に、運転停止時に上記フロントパネル（8）に沿って吹出口（7）を覆う吹出口用カバーシート（41）と、運転時に該カバーシート（41）を巻き取って吹出口（7）を開口する巻き取り機構（42）とを有する吹出口開閉機構（40）を備えているので、ケーシング（5）のフラット化が容易で、且つ機構が簡単であるため、ケーシング（5）をシンプルでコンパクトにすることが容易である。
【００７７】
また、運転停止時に吹出口（7）をカバーシート（41）で覆うようにしているので、壁掛け型の空気調和装置（1）において、カバーシート（41）の質感を壁（壁紙）の質感に合わせることが容易で、インテリアとの一体感を出しやすくすることができる。つまり、空気調和装置（1）などの意匠性を従来とは大幅に変えて、デザイン的にインパクトの大きな製品を実用化できる。
【００７８】
また、運転停止時には、カバーシート（41）で吹出口（7）を覆った状態で、該カバーシート（41）にテンションを与えるテンション付与機構（46）を吹出口開閉機構（40）に設け、運転停止時に吹出口（7）を覆うカバーシート（41）がたるまずにピンと張った状態に維持されるようにしているので、フロントパネル（8）にシート素材を用いたものでありながら、シートがたるむといったデザイン的な不具合が生じることはない。
【００７９】
さらに、吹出口開閉機構（40）を、カバーシート（41）の一端が固定されて該カバーシート（41）を巻き取り可能なシートローラ（43）と、カバーシート（41）の他端を保持するとともに吹出口（7）のフロントパネル（8）上で可動の保持部材（44）と、保持部材（44）をフロントパネル（8）に沿って移動させる駆動機構（45）とを備えた構成にしているので、駆動機構（45）によってカバーシート（41）をシートローラ（43）に巻き取るか、シートローラ（43）から引き出すだけの簡単な操作で吹出口（7）を開閉できる。
【００８０】
そして、この実施形態においても、吸込口（6）を覆う吸込口用カバーシート（21）と、該カバーシート（21）によって吸込口（6）を開閉する吸込口開閉機構（20）とを設けたことにより、吹出口（7）をカバーシート（41）で開閉するのに加えて、吸込口（6）もカバーシート（21）によって開閉されるため、運転停止時には、ケーシング（5）のフロントパネル（8）の大部分がカバーシート（吹出口用カバーシート（41）と吸込口用カバーシート（21））によって覆われることになる。そのため、壁掛け型の空気調和装置（1）において、カバーシート（21，41）の質感を壁（壁紙）の質感に合わせることがいっそう容易になり、インテリアとの一体感を出しやすくすることができる。その結果、従来品と比べて、よりいっそうデザイン的にインパクトの大きな製品を実用化できる。
【００８１】
さらに、この吸込口開閉機構（20）については、ケーシング（5）のフロントパネル（8）に対して開閉する開閉板（22）により構成し、この開閉板（22）に吸込口用カバーシート（21）を貼るようにしているため、開閉板（22）をケーシング（5）のフロントパネル（8）に対して開閉させるだけの簡単な機構の動きで吸込口（6）の開閉状態を切り換えることができる。
【００８２】
《発明の実施形態３》
本発明の実施形態３について説明する。この実施形態１は、空気浄化装置（2）に関するものである。
【００８３】
図９（Ａ）は、この空気浄化装置（2）の正面図、図９（Ｂ）は側面図である。また、図１０（Ａ）は、この空気浄化装置（2）の運転停止状態の斜視図、図１０（Ｂ）は運転状態の斜視図である。
【００８４】
この空気浄化装置（2）のケーシング（5）には、該ケーシング（5）内に空気を吸い込む吸込口（6）を有するフロントパネル（パネル部材）（8）と、該ケーシング（5）内で処理した空気を吹き出す吹出口（7）を有するアッパーパネル（パネル部材）(9)が設けられている。この空気浄化装置（2）のフロントパネル（8）は、フラットなパネル状に構成されている。また、上記空気浄化装置（2）は、上記吸込口（6）を開閉する吸込口開閉機構（30）を備えている。
【００８５】
図１１は図９（Ｂ）のXI−XI線断面図であり、図１２（Ａ）は運転停止状態における図９（Ｂ）のXII−XII線断面図、図１２（Ｂ）は運転状態における図９（Ｂ）のXII−XII線断面図である。
【００８６】
そして、ケーシング（5）内には、吸込口（6）からケーシング（5）内に室内空気を吸い込み、吹出口（7）から吹き出すためのシロッコファン（16）と、吸込口（6）からケーシング（5）内に吸い込まれた空気が通過する位置に配置されたエアーフィルタ（17）とが設けられている。
【００８７】
次に、吸込口（6）の構成について説明する  この空気浄化装置（2）は、吸込口（6）を覆う吸込口用カバーシート（31）と、該カバーシート（31）によって吸込口（6）を開閉する吸込口開閉機構（30）とを備えている。
【００８８】
吸込口開閉機構（30）は、吸込口用カバーシート（31）が吸込口（6）を覆うように張架され、該カバーシート（31）の一部をフロントパネル（8）の前方に押し出して突出させることにより該カバーシート（31）と吸込口（6）との間に空気の導入口を形成する押出機構（空気導入口形成機構）（32）を備えている。
【００８９】
上記カバーシート（31）は、一端がフロントパネル（8）における吸込口（6）の一方（上方）の側縁部に固定され、カバーシート（31）の他端が固定されるとともに該カバーシート（31）を巻き取り可能なシートローラ（33）が吸込口（6）の他方（下方）の側縁部に配置されている。そして、押出機構（32）は、ケーシング（5）の内部からフロントパネル（8）の前方へ向かってカバーシート（31）を押し出すように構成されている。
【００９０】
具体的には、上記押出機構（32）として、ケーシング（5）のフロントパネル（8）と直角な方向へ進退する押出ロッド（34）がケーシング（5）の左右の側板の近傍に一つずつ設けられ、押出ロッド（34）はラック（35）により構成されている。各ラック（35）にはピニオン（36）が噛み合い、一方のピニオン（36）はモータで駆動される駆動側ギヤで、他方のピニオン（36）は回転自在の従動側ギヤになっている。
【００９１】
上記シートローラ（33）は、カバーシート（31）を常に巻き取る方向の付勢力を与えれるため、ねじりコイルバネなどの付勢手段がテンション付与機構（37）として設けられている。このテンション付与機構（37）により、運転停止時にカバーシート（31）で吸込口（6）を覆った状態で、該カバーシート（31）にテンションが与えられ、カバーシート（31）がピンと張った状態に維持される。
【００９２】
以上の構成により、この実施形態の吸込口（6）では、吸込口（6）に張架されたカバーシート（31）の一部を前方へ山形に押し出して左右両縁部に吸込口（6）への空気の導入口が形成される。
【００９３】
−運転動作−
次に、この空気浄化装置（2）の運転動作について説明する。
【００９４】
空気浄化装置（2）の運転停止時には、図１０（Ａ）及び図１２（Ａ）に示すように、吸込口（6）が閉じた状態となり、ファン（16）も停止する。このとき、ケーシング（5）のフロントパネル（8）では、吸込口（6）が吸込口用カバーシート（31）により覆われた状態となっている。
【００９５】
空気浄化装置（2）の運転時には、図１２（Ａ）において、押出ロッド（34）のラック（35）と噛み合ったピニオン（36）が図の反時計回り方向へ回転する。こうすることにより、吸込口開閉機構（30）においてカバーシート（31）が前方へ山形に突出してその左右の端部に吸込口（6）への空気の導入口が形成される。
【００９６】
この状態で、シロッコファン（16）が回転して、室内の空気がケーシング（5）内に吸い込まれてからエアーフィルタ（17）を通過する際に、該室内空気のほこりなどが除去されて、浄化された空気が室内に吹き出される。
【００９７】
−実施形態３の効果−
この実施形態によれば、吸込口（6）を覆う吸込口用カバーシート（31）と、該カバーシート（31）によって吸込口（6）を開閉する吸込口開閉機構（30）とを設けたことにより、吸込口（6）がカバーシート（31）によって開閉されるため、運転停止時には、ケーシング（5）のフロントパネル（8）の大部分がカバーシート（31）によって覆われることになる。そのため、空気浄化装置（2）において、シート素材の質感を生かしたデザインを実現できる。
【００９８】
特に、上記吸込口開閉機構（30）について、吸込口（6）を覆うように吸込口用カバーシート（31）を張架する一方で、該カバーシート（31）の一部を前方に突出させることにより該カバーシート（31）と吸込口（6）との間に空気の導入口を形成する押出機構（32）を設けているので、押出機構（32）によりカバーシート（31）の一部を前方に突出させるだけの簡単な機構の動きで吸込口（6）の開閉状態を切り換えることができる。
【００９９】
−実施形態３の変形例−
この実施形態では、カバーシート（31）が山形に突出する吸込口開閉機構（20）を一つだけ設けているが、同様に構成された吸込口開閉機構を２つ以上並べて配置するようにしてもよい。
【０１００】
《その他の実施形態》
上記実施形態については、以下のような構成としてもよい。
【０１０１】
例えば、上記各実施形態においては、ラックとピニオンを用いて押出機構（32）を構成しているが、押出機構（32）を実現するための具体的な機構は任意に変更してもよい。
【０１０２】
なお、以上の実施形態は、本質的に好ましい例示であって、本発明、その適用物、あるいはその用途の範囲を制限することを意図するものではない。
【産業上の利用可能性】
【０１０３】
以上説明したように、本発明は、空気調和装置や空気浄化装置などの空気処理装置について有用である。
【図面の簡単な説明】
【０１０４】
【図１】（Ａ）は本発明の実施形態１に係る空気調和装置の平面図、（Ｂ）は正面図、（Ｃ）は底面図である。
【図２】（Ａ）はこの空気調和装置の運転停止状態の斜視図、Ｂ）は運転状態の斜視図である。
【図３】図１（Ｂ）のIII−III線断面図である。
【図４】（Ａ）は運転停止状態における図１（Ｂ）のIV−IV線断面図、（Ｂ）は運転状態における図１（Ｂ）のIV−IV線断面図である。
【図５】（Ａ）は本発明の実施形態２に係る空気調和装置の平面図、（Ｂ）は正面図、（Ｃ）は底面図である。
【図６】（Ａ）はこの空気調和装置の運転停止状態の斜視図、Ｂ）は運転状態の斜視図である。
【図７】図５（Ｂ）のVII−VII線断面図である。
【図８】（Ａ）は運転停止状態における図５（Ｂ）のVIII−VIII線断面図、（Ｂ）は運転状態における図１（Ｂ）のVIII−VIII線断面図である。
【図９】（Ａ）は本発明の実施形態３に係る空気浄化装置の正面図、（Ｂ）は平面図、（Ｃ）は側面図である。
【図１０】（Ａ）はこの空気浄化装置の運転停止状態の斜視図、（Ｂ）は運転状態の斜視図である。
【図１１】図９（Ａ）のXI−XI線断面図である。
【図１２】（Ａ）は運転停止状態における図９（Ａ）のXII−XII線断面図、（Ｂ）は運転状態における図９（Ａ）のXII−XII線断面図である。
【符号の説明】
【０１０５】
10  ケーシング
11  吸込口
12  吹出口
13  パネル部材
20  吸込口開閉機構
21  吸込口用カバーシート
22  開閉板（空気導入口形成機構）
30  吸込口開閉機構
31  吸込口用カバーシート
32  押出機構（空気導入口形成機構）
33  シートローラ
37  テンション付与機構
【図１】
2006234336.tif 000003
【図２】
2006234336.tif 000004
【図３】
2006234336.tif 000005
【図４】
2006234336.tif 000006
【図５】
2006234336.tif 000007
【図６】
2006234336.tif 000008
【図７】
2006234336.tif 000009
【図８】
2006234336.tif 000010
【図９】
2006234336.tif 000011
【図１０】
2006234336.tif 000012
【図１１】
2006234336.tif 000013
【図１２】
2006234336.tif 000014